【事件の表示】
　特願２０００−　９０４６２「弾球遊技機」拒絶査定不服審判事件〔平成１３年１０月　９日出願公開、特開２００１−２７６３４８〕について、次のとおり審決する。
【結　論】
　本件審判の請求は、成り立たない。
【理　由】
第１．手続の経緯　
　本願は、平成１２年３月２９日の出願であって、平成１５年８月１８日付の拒絶理由通知に対して同年１０月２２日付で手続補正がなされ、平成１６年１月１３日付の拒絶理由通知に対して同年３月１７日付で手続補正がなされ、これに対し、同年５月２０日付で補正却下がなされるとともに、同日付で拒絶査定がなされ、これに対し、同年６月３０日に拒絶査定不服の審判請求がなされるとともに同年７月３０日付で手続補正がなされたものである。
　
　
第２．平成１６年７月３０日付の手続補正についての補正却下の決定　
〔補正却下の決定の結論〕　
　平成１６年７月３０日付の手続補正（以下、「本件補正」という。）を却下する。　
　
［理由］　
【１】本件補正の内容　
　本件補正により、特許請求の範囲の請求項１は、平成１５年１０月２２日付手続補正により補正された特許請求の範囲の請求項１に記載された
　「【請求項１】　少なくとも内部に特定領域（２６）を有し且つ遊技者に有利な開状態と遊技者に不利な閉状態とに変換駆動可能な可変入賞手段（１３）と、遊技球が入賞可能な特定入賞手段（１４）（１４ａ） 〜（１４ｃ） と、該特定入賞手段（１４）（１４ａ） 〜（１４ｃ） への遊技球の入賞を条件に前記可変入賞手段（１３）を所定回数開閉させる開閉制御手段（２９）と、前記可変入賞手段（１３）に入賞した遊技球を前記特定領域（２６）が検出することを条件に遊技者に有利な１ラウンド目の利益状態を発生させる利益状態発生手段（３０）とを備えた弾球遊技機において、前記利益状態発生手段（３０）の機能中に、前記特定領域（２６）が遊技球を検出することを条件に図柄変動する変動図柄表示手段（２１）と、各ラウンド毎に前記変動図柄表示手段（２１）の停止図柄を前記特定態様とするか否かを抽選により決定する抽選決定機能と、前記変動図柄表示手段（２１）の変動後の停止図柄が特定態様となることを条件に、前記利益状態の終了後に再度前記利益状態を発生させ且つ前記利益状態の再発生を所定ラウンド数に制限する利益状態再発生手段（３４）とを備えたことを特徴とする弾球遊技機。」から、　
　「【請求項１】　少なくとも内部に特定領域（２６）を有し且つ遊技者に有利な開状態と遊技者に不利な閉状態とに変換駆動可能な可変入賞手段（１３）と、遊技球が入賞可能な特定入賞手段（１４）（１４ａ） 〜（１４ｃ） と、該特定入賞手段（１４）（１４ａ） 〜（１４ｃ） への遊技球の入賞を条件に前記可変入賞手段（１３）を所定回数開閉させる開閉制御手段（２９）と、前記可変入賞手段（１３）に入賞した遊技球
が
を通過
該可変入賞手段（１３）を開閉させて
による利益状態の発生中に入賞した遊技球が
を通過
所定時間
前記遊技球の後者通過を条件に
変動後の
を特
前記
そのラウンドの
前記利益状態発生手段（３０）に前記可変入賞手段（１３）を開閉させて遊技者に有利な次ラウンド目の
へと補正された。　
　
　
【２】独立特許要件違反の適否　
［１］補正の適否
　本件補正により特許請求の範囲の請求項１にした補正は、
　i.　１ラウンド目に利益状態を発生させる条件としての「遊技球を（前記）特定領域（２６）が検出すること」を、「遊技球が（前記）特定領域（２６）を通過すること」とし、
　ii.　遊技者に有利な１ラウンド目の利益状態を、「該可変入賞手段（１３）を開閉させて」発生させるものであることを特定し、
　iii.　「前記利益状態発生手段（３０）の機能中」を、「前記利益状態発生手段（３０）による利益状態の発生中」とし、
　iv.　変動図柄表示手段の図柄変動の条件としての「遊技球を（前記）特定領域（２６）が検出すること」を、「入賞した遊技球が前記特定領域（２６）を通過すること」とし、
　v.　図柄変動が、「所定時間」のものであることを特定し、
　vi.　停止図柄を前記特定態様とするか否かを抽選により決定するのが、「前記遊技球の後者通過を条件に」したものであることを特定し、
　vii.　変動図柄表示手段の停止図柄を、「変動後の」停止図柄であることを特定し、
　viii.　「前記特定態様」を「特定態様」とするとともに、「特定態様」を「前記特定態様」とし、
　ix.　「前記利益状態の終了後」を、「そのラウンドの利益状態の終了後」とし、
　x.　「再度」の利益状態を「次ラウンド目」の利益状態とするとともに、
　xi.　再度（次ラウンド目）の利益状態が、「前記利益状態発生手段（３０）に前記可変入賞手段（１３）を開閉させ」るものであり、また、「遊技者に有利な」ものであることを特定し、
　xii.　「前記利益状態」を、「該利益状態」としたものである。
　上記、i.　ii.　iv.　v.　vi.　vii.　xi.　については、発明特定事項の直列的付加に当たるので、平成１８年改正前特許法第１７条の２第４項第２号に規定する「特許請求の範囲の減縮（第三十六条第五項の規定により請求項に記載した発明を特定するために必要な事項を限定するものであって、その補正前の当該請求項に記載された発明とその補正後の当該請求項に記載される発明の産業上の利用分野及び解決しようとする課題が同一であるものに限る。）」を目的としたものに該当し、上記iii.　viii.　ix.　x.　xii.　については、平成１６年１月１３日付の拒絶理由通知で指摘した記載の不備を是正するためにする軽微な補正であり、平成１８年改正前特許法第１７条の２第４項第４号に規定する「明りょうでない記載の釈明（拒絶理由通知に係る拒絶の理由に示す事項についてするものに限る。）」を目的としたものに該当する。　
　そこで、本件補正後の請求項１に記載された発明（以下、「本願補正発明」という。）が特許出願の際に独立して特許を受けることができるものであるか（平成１８年改正前特許法第１７条の２第５項において準用する同法第１２６条第５項の規定に適合するか）否かについて検討する。　
　
［２］引用例に記載の発明
（１）引用例（特許第２７９６９７８号公報）には、以下の事項が記載されている。
　i.「【請求項１】打玉が通過可能な通過領域と、打玉を受け入れ易い第１の状態と、打玉を受け入れない、もしくは受け入れ難い第２の状態とに変化自在な可変入賞球装置と、該可変入賞球装置を駆動制御する駆動制御手段と、を備えた弾球遊技機において、該弾球遊技機は、さらに前記通過領域を通過した打玉を検出する通過玉検出手段と、前記可変入賞球装置に入賞した打玉のすべて、あるいは一部を検出する入賞玉検出手段と、前記通過玉検出手段の検出出力が導出された後に前記入賞玉検出手段の検出出力が導出された場合に特定遊技状態を判定する特定遊技状態判定手段と、前記特定遊技状態となったときから該特定遊技状態に基づく遊技が開始されるまでの間に成立する予め定められた所定の条件が成立したことを判定する所定条件判定手段と、を備え、前記駆動制御手段は、前記通過玉検出手段の検出出力があった場合に第１の規制条件に基づいて前記可変入賞球装置を駆動制御し、前記特定遊技状態判定手段の判定出力があった場合に前記第１の規制条件とは異なる第２の規制条件に基づいて前記可変入賞球装置を駆動制御し、前記特定遊技状態判定手段の判定出力と前記所定条件判定手段の判定出力とがあった場合に前記第２の規制条件とは異なる第３の規制条件に基づいて前記可変入賞球装置を駆動制御することを特徴とする弾球遊技機。」（第１頁第１欄２行〜第２欄１４行）　
　ii.「また、・・・始動入賞口２０ａ，２０ｂに打玉が入賞することによって、可動部材１４ａ，１４ｂが２回開閉動作を行う。そして、この開閉動作中に可動部材１４ａ，１４ｂによって導かれた入賞玉が可変入賞球装置１３内に設けられた前記特定入賞口１５に入賞したときには、いわゆる特定遊技状態となり、可動部材１４ａ，１４ｂの相対的に短い時間間隔の開閉動作を１８回行うか、あるいは１８回の開閉動作中に後述する入賞個数検出器３２が１０個の入賞玉を計数するまで開閉動作を行い（以下、開閉サイクルという）、更に、１８回の開閉動作中に再度特定入賞口１５に入賞玉が入賞すると、その入賞した時点で開閉動作を直ちに停止し、次の開閉サイクルに移行する。ただし、この開閉サイクルの繰り返しは、通常の特定遊技状態において、入賞玉が特定入賞口１５に入賞することを条件として、最高８回に設定され、・・・」（第４頁第７欄５〜１９行）　
　iii.「すなわち、第３実施例に係る可変入賞球装置は、第５図に示すように、・・・取付基板８１の上部であって前記継続回数表示機９４の下方に設けられた７セグメントＬＥＤ９６ａ〜９６ｃを使用するようにする。この７セグメントＬＥＤ９６ａ〜９６ｃは、常に可変表示しており、可動部材８３ａ，８３ｂの開閉動作により受け入れられた打玉が中央の特定入賞口８８に入賞して特定遊技状態となったときに可変表示を所定時間停止させるようになっている。・・・この第３実施例の場合には、特定遊技状態における開閉サイクルは、可動部材８３ａ，８３ｂが相対的に短い一定時間（例えば、１５秒）の間開閉動作、または開成動作を行い、その継続回数は、８回であり・・・。・・・更に、特定入賞口８８に打玉が入賞したこと、又は３つの入賞口のいずれにも打玉が入賞したことにより７セグメントＬＥＤ９６ａ〜９６ｃの可変表示を停止させ、その停止時の表示態様が特定の表示態様（例えば、「５」「７」「９」のゾロ目）となったときに特定遊技状態及び継続条件の成立と判定するように構成し、・・・構成しても良い。例えば、特定遊技状態のきっかけとなった表示が「７」のゾロ目の場合、「５」「７」「９」のいずれのゾロ目表示でも継続するが、・・・。なお、・・・７セグメントＬＥＤ９６ａ〜９６ｃの特定の表示態様の出現確率を変化させれば良い。また、所定の条件が成立して特別遊技状態となったときに、１回の開閉サイクルの時間を変化させるのではなく、開閉サイクルの継続可能回数を１回増加するようにしてもよい。・・・また、７セグメントＬＥＤを常に可変表示することなく、特定入賞口８８に入賞したことにより可変表示を開始させ、所定時間後に停止させるようにしてもよい。」（第９頁第１７欄３９行〜第１０頁第１９欄１９行）　
　iv.「以上、３つの実施例について説明してきたが、これら３つの実施例の他に以下に示すような変形例が考えられる。・・・開閉サイクル中に特定入賞口への入賞があった場合に、直ちに次の開閉サイクルに移行することなく、特定入賞口への入賞を記憶しておき、所定の開閉サイクルの規制条件を満たしてから次の開閉サイクルに移行するようにしてもよい。」（第１０頁第１９欄２０行〜第２０欄２５行）　
　
（２）上記（１）iii.に摘示した記載によれば、７セグメントＬＥＤの可変表示の停止時の表示態様が特定の表示態様（例えば、「５」「７」「９」のゾロ目）となったときに特定遊技状態及び継続条件の成立と判定されるのであるから、前記特定の表示態様（例えば、「５」「７」「９」のゾロ目）とならなかったときには継続条件が成立しない、すなわち前記特定の表示態様（例えば、「５」「７」「９」のゾロ目）となることを条件に（開閉サイクルが）継続することが把握できる。　
　上記（１）i.〜iv.の記載及び図面並びに継続条件の成立についての上記解釈によれば、引用例には、以下の発明（以下、「引用発明」という。）が記載されている。
　「内部に特定入賞口を有し且つ打玉を受け入れ易い第１の状態と打玉を受け入れないもしくは受け入れ難い第２の状態とに可動部材が開閉動作自在な可変入賞球装置と、打玉が入賞可能な始動入賞口と、打玉が前記始動入賞口に入賞すると前記可変入賞球装置の前記可動部材が２回の開閉動作を行うように駆動制御する駆動制御手段と、前記可変入賞球装置に入賞した打玉が前記特定入賞口に入賞した場合に前記可変入賞球装置の前記可動部材に一定時間の間開閉動作による開閉サイクルを行わせるように駆動制御する駆動制御手段とを備えた弾球遊技機において、前記開閉サイクル中に打玉が前記特定入賞口に入賞することにより可変表示し所定時間後に停止する７セグメントＬＥＤの停止した表示態様が特定の表示態様（例えば、「５」「７」「９」のゾロ目）となることを条件に、その開閉サイクルの規制条件を満たしてから、前記可変入賞球装置の前記可動部材の一定時間の間の開閉動作による開閉サイクルを継続させ、且つ、開閉サイクルの継続可能回数を所定回数に設定した弾球遊技機。」
　　
［３］本願補正発明について
（１）本願補正発明と引用発明との対比　
　i.　本願補正発明と引用発明とを対比すると、引用発明の「特定入賞口」は、本願補正発明の「特定領域」に相当し、以下同様に、
「打玉」は「遊技球」に、
「打玉を受け入れ易い第１の状態と打玉を受け入れないもしくは受け入れ難い第２の状態」は「遊技者に有利な開状態と遊技者に不利な閉状態」に、
「可変入賞球装置」は「可変入賞手段」に、
「打玉を受け入れ易い第１の状態と打玉を受け入れないもしくは受け入れ難い第２の状態とに可動部材が開閉動作自在な可変入賞球装置」は「遊技者に有利な開状態と遊技者に不利な閉状態とに変換駆動可能な可変入賞手段」に、
「始動入賞口」は「特定入賞手段」に、
「打玉が（前記）始動入賞口に入賞すると」は「特定入賞手段への遊技球の入賞を条件に」に、
「（前記）可変入賞球装置の（前記）可動部材が２回の開閉動作を行うように駆動制御する駆動制御手段」は「（前記）可変入賞手段を所定回数開閉させる開閉制御手段」に、
「（前記）特定入賞口に入賞した場合に」は「特定領域を通過することを条件に」に、
「開閉サイクル」は「ラウンド」に、
「打玉が（前記）特定入賞口に入賞することにより」は「入賞した遊技球が特定領域を通過することを条件に」に、
「７セグメントＬＥＤ」は「変動図柄表示手段」に、
「可変表示し所定時間後に停止する７セグメント」は「所定時間図柄変動する変動図柄表示手段」に、
「７セグメントの停止した表示態様」は「変動図柄表示手段の変動後の停止図柄」に、
「特定の表示態様（例えば、「５」「７」「９」のゾロ目）」は「特定態様」に、それぞれ相当する。
　そして、引用発明の駆動制御手段が、可変入賞球装置（本願補正発明の「可変入賞手段」に相当）の可動部材の開閉動作を一定時間の間行う開閉サイクル（本願補正発明の「ラウンド」に相当）の駆動制御をすることについては、可動部材の開閉動作によって、打玉（本願補正発明の「遊技球」に相当）が可変入賞球装置（可変入賞手段）に入賞して遊技者が利益を得易くなることは自明であり、この開閉動作が行われる一定時間の間は、遊技者に有利な利益状態が発生しているといえるから、本願補正発明において、利益状態発生手段が可変入賞手段を開閉させて遊技者に有利な１ラウンド目の利益状態を発生させることと共通し、またこのことにより、引用発明の「開閉サイクル（ラウンド）中」は本願補正発明の「利益状態発生手段による利益状態の発生中」と、引用発明の「その開閉サイクルの規制条件を満たしてから」は本願発明の「そのラウンドの利益状態の終了後に」と、引用発明の「（前記）可変入賞球装置（可変入賞手段）の（前記）可動部材の一定時間の間の開閉動作による開閉サイクル（ラウンド）を継続させ」は本願補正発明の「可変入賞手段を開閉させて遊技者に有利な次ラウンド目の利益状態を発生させ」と、さらに、引用発明の「開閉サイクル（ラウンド）の継続可能回数を所定回数に設定」は本願補正発明の「利益状態の再発生を所定ラウンド数に制限」と、それぞれ共通するものといえる。
　ii.　そうすると、本願補正発明と引用発明とは、　
　「内部に特定領域を有し且つ遊技者に有利な開状態と遊技者に不利な閉状態とに変換駆動可能な可変入賞手段と、遊技球が入賞可能な特定入賞手段と、前記特定入賞手段への遊技球の入賞を条件に前記可変入賞手段を所定回数開閉させる開閉制御手段と、前記可変入賞手段に入賞した遊技球が前記特定領域を通過することを条件に該可変入賞手段を開閉させて遊技者に有利な１ラウンド目の利益状態を発生させる利益状態発生手段とを備えた弾球遊技機において、利益状態発生手段による利益状態の発生中に入賞した遊技球が前記特定領域を通過することを条件に所定時間図柄変動する変動図柄手段の変動後の停止図柄が特定態様となることを条件にそのラウンドの利益状態の終了後に可変入賞手段を開閉させて遊技者に有利な次ラウンド目の利益状態を発生させ且つ利益状態の再発生を所定ラウンド数に制限することとした弾球遊技機。」の点で一致し、
　本願補正発明は、変動図柄表示手段の図柄変動後の「停止図柄を特定態様とするか否かを抽選により決定する」のに対し、引用発明は、停止図柄をどのように決定するのかが明確でない点で相違する。
　
（２）相違点の検討　
　変動図柄表示手段の停止図柄の決定を抽選によるものとすることは、きわめて一般的な周知技術であり、引用発明に上記周知技術を採用して、相違点に係る本願補正発明のように構成することは、当業者が容易に想到できるものである。
　
（３）本願補正発明の作用効果の検討
　本願補正発明の作用効果は、引用発明及び上記周知技術に基づいて当業者が容易に予測できるものである。
　
（４）補正の却下の決定のむすび
　よって、本件補正後の請求項１に記載された本願補正発明は、引用発明及び上記周知技術に基づいて当業者が容易に発明をすることができたものであり、特許法第２９条第２項の規定に該当して、その特許出願の際に独立して特許を受けることができない。
　以上のとおりであるから、本件補正は、平成１８年改正前特許法第１７条の２第５項において準用する同法第１２６条第５項の規定に違反するので、特許法第１５９条第１項の規定において読み替えて準用する同法第５３条第１項の規定により却下すべきものである。　
　　
　
第３．本願発明について　
【１】本願発明
　本願の請求項１に係る発明は、平成１６年７月３０日付の手続補正が上記のとおり却下されているので、平成１５年１０月２２日付の手続補正により補正された明細書及び図面の記載からみて、その特許請求の範囲の請求項１に記載された事項により特定される以下のとおりのものである。　
　「【請求項１】　少なくとも内部に特定領域（２６）を有し且つ遊技者に有利な開状態と遊技者に不利な閉状態とに変換駆動可能な可変入賞手段（１３）と、遊技球が入賞可能な特定入賞手段（１４）（１４ａ） 〜（１４ｃ） と、該特定入賞手段（１４）（１４ａ） 〜（１４ｃ） への遊技球の入賞を条件に前記可変入賞手段（１３）を所定回数開閉させる開閉制御手段（２９）と、前記可変入賞手段（１３）に入賞した遊技球を前記特定領域（２６）が検出することを条件に遊技者に有利な１ラウンド目の利益状態を発生させる利益状態発生手段（３０）とを備えた弾球遊技機において、前記利益状態発生手段（３０）の機能中に、前記特定領域（２６）が遊技球を検出することを条件に図柄変動する変動図柄表示手段（２１）と、各ラウンド毎に前記変動図柄表示手段（２１）の停止図柄を前記特定態様とするか否かを抽選により決定する抽選決定機能と、前記変動図柄表示手段（２１）の変動後の停止図柄が特定態様となることを条件に、前記利益状態の終了後に再度前記利益状態を発生させ且つ前記利益状態の再発生を所定ラウンド数に制限する利益状態再発生手段（３４）とを備えたことを特徴とする弾球遊技機。」　
　
【２】特許法第２９条２項の適用
［１］引用例に記載の発明　
　引用例に記載の発明は、上記第２．【２】［２］に示したとおりである。　
　
［２］対比・判断　
　本願発明は、本願補正発明の、１ラウンド目に利益状態を発生させる条件としての「遊技球が（前記）特定領域（２６）を通過すること」を「遊技球を（前記）特定領域（２６）が検出すること」とし、遊技者に有利な１ラウンド目の利益状態が「可変入賞手段（１３）を開閉させ」たものであることを特定し、変動図柄表示手段の図柄変動の条件としての「入賞した遊技球が前記特定領域（２６）を通過すること」を「遊技球を（前記）特定領域（２６）が検出すること」とし、図柄変動が「所定時間」のものであることを特定し、停止図柄を前記特定態様とするか否かを抽選により決定するのが「前記遊技球の後者通過を条件に」したものであることを特定し、変動図柄表示手段の停止図柄が「変動後の」ものであることを特定し、次ラウンド目の利益状態が「前記利益状態発生手段（３０）に前記可変入賞手段（１３）を開閉させ」るものであって且つ「遊技者に有利な」ものであることを特定した限定をそれぞれ省き、また、「前記利益状態発生手段（３０）による利益状態の発生中」を「前記利益状態発生手段（３０）の機能中」とし、「特定態様」を「前記特定態様」とし、「前記特定態様」を「特定態様」とし、「そのラウンドの利益状態の終了後」を「前記利益状態の終了後」とし、「次ラウンド目」の利益状態を「再度」の利益状態とし、「該利益状態」を「前記利益状態」としてそれぞれ言い換えたものである。
　そうすると、本願発明の構成要素を全て含むものに相当する本願補正発明が、上記第２．【２】［３］に示したように、引用例に記載の発明（上記引用発明）及び周知技術に基づいて、当業者が容易に発明をすることができたものであるから、本願発明は、同様の理由により、引用例に記載の発明（上記引用発明）及び周知技術に基づいて、当業者が容易に発明をすることができたものである。　　
　
［３］むすび　
　以上のとおり、本願発明は、上記引用例に記載の発明及び周知技術に基づいて、当業者が容易に発明をすることができたものであるから、特許法第２９条第２項の規定により特許を受けることができない。　
　したがって、他の請求項に係る発明について検討するまでもなく、本願は拒絶すべきものである。　
　
　よって、結論のとおり審決する。